【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
凹凸シートを構成部材として含んでおり、着用者の前後方向に対応する長手方向及び該長手方向と直交する幅方向を有する吸収性物品であって、
前記凹凸シートは、前記着用者の肌に当接される肌当接面に凹部及び凸部を複数有しており、一定の方向において該凹凸シートは、前記凸部の頂部の可動範囲が、前記凸部の底部の長さに対して３０％以上であり、
前記凹凸シートの前記肌当接面は、前記一定の方向における平均摩擦係数ＭＩＵが０．３以下であり、且つ前記一定の方向に沿って往復させた往路及び復路の摩擦係数の差が０．１未満であり、
前記凹凸シートは、圧縮仕事量が２．０ｍＮ・ｃｍ／ｃｍ2以上、且つ圧縮回復率が４０％以上であり、
前記第１シートは、前記肌当接面側の第１層及び非肌当接面側の第２層を有しており、
前記第２層は、下記（１）〜（４）の少なくとも１つを満たす第１及び第２繊維を含んでおり、前記第２繊維は、前記第１層より前記第２層に多く含まれており、且つ前記第２層中の前記第２繊維の含有量が前記第１層中の第２繊維の含有量の２倍以上である、吸収性物品。
（１）前記第２繊維は、構成成分の融点が前記第１繊維の構成成分に比して高い。
（２）前記第２繊維は、繊維径が前記第１繊維に比して大きい。
（３）前記第２繊維は、捲縮繊維であり、捲縮数が前記第１繊維に比して多い。
（４）前記第１及び第２繊維それぞれは、芯鞘型複合繊維であり、
前記第２繊維は、前記芯鞘型複合繊維における鞘成分の直径比率が前記第１繊維に比して低い。
【請求項２】
凹凸シートを構成部材として含んでおり、着用者の前後方向に対応する長手方向及び該長手方向と直交する幅方向を有する吸収性物品であって、
前記凹凸シートは、前記着用者の肌に当接される肌当接面に凹部及び凸部を複数有しており、一定の方向において該凹凸シートは、前記凸部の頂部の可動範囲が、前記凸部の底部の長さに対して３０％以上であり、
前記凹凸シートの前記肌当接面は、前記一定の方向における平均摩擦係数ＭＩＵが０．３以下であり、且つ前記一定の方向に沿って往復させた往路及び復路の摩擦係数の差が０．１未満であり、
前記凹凸シートは、圧縮仕事量が２．０ｍＮ・ｃｍ／ｃｍ2以上、且つ圧縮回復率が４０％以上であり、
前記凹凸シートからなる表面シート、裏面シート及びこれら両シート間に配置された吸収体を具備し、前記長手方向に、着用時に着用者の腹側に配される腹側部、着用時に着用者の背側に配される背側部、及び腹側部と背側部との間に位置する股下部を有しており、
前記背側部における前記凹凸シートは、前記股下部に比して、前記長手方向における前記凸部の頂部の可動範囲が長い、吸収性物品。
【請求項３】
前記凹凸シートは、積層された第１シート及び第２シートが複数の接合部において互いに接合されている複合シートであり、
前記第１シートは、前記接合部以外の部位において前記第２シートから離れる方向に突出した前記凸部を形成しており、
前記凸部は、前記一定の方向に沿う前記凹凸シートの厚み方向断面における該凸部の表面に沿う外周長さが、前記一定の方向における該凸部の底部の長さに対して１．２倍以上であり、
前記一定の方向に隣り合う前記凸部の頂部間の長さが、該凸部間に位置する凹部の深さに対し０．５倍以上５倍以下である、請求項１又は２に記載の吸収性物品。
【請求項４】
前記吸収性物品の少なくとも前記長手方向において、前記凹凸シートは、前記凸部の頂部の可動範囲が、前記凸部の底部の長さに対して３０％以上である、請求項１〜３の何れか１項に記載の吸収性物品。
【請求項５】
前記幅方向に沿って伸縮可能な幅方向伸縮領域を有しており、
前記凹凸シートが、前記幅方向伸縮領域と部分的に重なっている、請求項１〜４の何れか１項に記載の吸収性物品。
【請求項６】
前記凹凸シートは、接触冷感ｑ−ｍａｘが０．７ｋＷ／ｍ2以下である、請求項１〜５の何れか１項に記載の吸収性物品。
【手続補正２】
【補正対象書類名】明細書
【補正対象項目名】００１８
【補正方法】変更
【補正の内容】
【００１８】
本明細書において、「肌当接面」は、吸収性物品であるおむつ１００又はその構成部材（例えば表面シート１２）における、着用時に着用者の肌側に向けられる面、即ち相対的に着用者の肌に近い側であり、「非肌当接面」は、おむつ１００又はその構成部材における、着用時に肌側とは反対側（着衣側）に向けられる面、即ち相対的に着用者の肌から遠い側である。尚、ここでいう「着用時」は、通常の適正な着用位置、即ち当該おむつ１００の正しい着用位置が維持された状態を意味する。
【手続補正３】
【補正対象書類名】明細書
【補正対象項目名】００４０
【補正方法】変更
【補正の内容】
【００４０】
第２層１ｃは、下記（１）〜（４）の少なくとも１つを満たす第１及び第２繊維を含んでおり、第２繊維は、第１層１ｂより第２層１ｃに多く含まれていることが好ましい。斯かる構成により、複合シート１０ａの肌当接面と非肌当接面とで、構成繊維の動きの自由度が異なって、肌当接面に形成された凸部４が変形し易くなり、凹凸シートの滑らかな感触とふんわり感が向上する。
（１）第２繊維は、構成成分の融点が第１繊維の構成成分に比して高い。
（２）第２繊維は、繊維径が第１繊維に比して大きい。
（３）第２繊維は、捲縮繊維であり、捲縮数が第１繊維に比して多い。
（４）第１及び第２繊維それぞれは、芯鞘型複合繊維であり、第２繊維は、芯鞘型複合繊維における鞘成分の直径比率が前記第１繊維に比して低い。
【手続補正４】
【補正対象書類名】明細書
【補正対象項目名】００５４
【補正方法】変更
【補正の内容】
【００５４】
芯鞘型複合繊維における鞘成分の直径比率ＡＸは、図９に示すＥ１を鞘成分Ｃ１の直径とし、Ｅ２を芯成分Ｃ２の直径としたとき、以下の式から算出される。
鞘成分Ｃ１の直径比率ＡＸ＝芯鞘型複合繊維の鞘成分の直径Ｅ１（μｍ）÷芯鞘型複合繊維の芯成分の直径Ｅ２（μｍ）
鞘成分の直径比率ＡＸは、第１シートの第１層及び第２層それぞれにおける、任意の１０箇所から取り出した繊維について行い、鞘成分の直径比率ＡＸが小さい下位３本の平均値を第２繊維の鞘成分の直径比率ＡＸとし、鞘成分の直径比率が大きい上位３本の平均値を第１繊維の鞘成分の直径比率ＡＸとする。
【手続補正５】
【補正対象書類名】明細書
【補正対象項目名】００８３
【補正方法】変更
【補正の内容】
【００８３】
不織布を構成する繊維としては、後述するように第１シート１と第２シート２とを熱融着によって接合する場合には、上述した第１及び第２繊維として挙げた熱可塑性樹脂が含まれることが好ましい。これらの樹脂は１種を単独で又は２種以上のブレンド物として用いることができる。また、芯鞘型やサイド・バイ・サイド型などの複合繊維の形態で用いることができる。
【手続補正６】
【補正対象書類名】明細書
【補正対象項目名】０１１８
【補正方法】変更
【補正の内容】
【０１１８】
１００  使い捨ておむつ（吸収性物品）
１２  表面シート
１３  裏面シート
１４  吸収体
１０  凹凸シート
１  第１シート
２  第２シート
３  凹部
３０  接合部
４  凸部
４２  横長凸部
Ｄ１  第１方向
Ｄ２  第２方向
Ｓ１  第１傾斜接合部列
Ｓ２  第２傾斜接合部列
Ｓ３  長手方向長接合部列（長手方向接合部列）
Ｓ４  長手方向短接合部列（長手方向接合部列）
Ｓ５  幅方向短接合部列
Ｊ１  長手方向複合列
Ｊ２  幅方向複合列
Ｒ３  長手方向凸部列
Ｒ４  幅方向凸部列
Ｒ５  第１方向凸部列
Ｒ６  第２方向凸部列
Ｒ９  幅方向複合列
３１  長接合部
３２  短接合部
３４  接合部対
３５  接合部